(57)【要約】    【課題】  顕微鏡の暗視野装置の小型化をはかり、更にそれによって安価な構成にする。        【解決手段】 顕微鏡のステージに着脱可能なドーナツ状に構成した中座であって、この中座の裏面（内側の面）の対物レンズの光軸から離れた位置に光源部を設け、この光源部からの光によって標本部分を均一に照射して暗視野照明を行うようにした。また、本発明の他の例として中座に光伝達部材を配置し、光源部よりの照明光をこの伝達部材を介して標本面を照射するようにした。【選択図】            図１
2005234262.tif 000002
【特許請求の範囲】
【請求項１】
顕微鏡のステージに着脱可能な中座で、前記中座が対物レンズの光軸から離間する位置に標本を照明する発光部を有する顕微鏡用ステージ中座。
【請求項２】
前記発光部と前記対物レンズとの間に設けられていて、前記ステージとの間で前記発光部よりの光の光路を形成する伝達部材を具備する請求項１の顕微鏡用ステージ中座。
【請求項３】
前記発光部と前記対物レンズとの間に設けられ前記発光部からの光線を偏向させる反射部材を具備する請求項１又は２の顕微鏡用ステージ中座。
【請求項４】
前記発光部がＬＥＤ光源である請求項１、２又は３の顕微鏡用ステージ中座。
【請求項５】
標本を載置するためのステージと前記ステージの対物レンズの光軸から離間する位置に設けられていて前記標本を照明するための発光部とを有する顕微鏡用照明装置。
【発明の詳細な説明】
【技術分野】
【０００１】
本発明は、顕微鏡の照明装置で、特にルーチン検査用の倒立金属顕微鏡にて用いられる顕微鏡用落射暗視野照明装置に関するものである。
【背景技術】
【０００２】
従来より、顕微鏡観察において、暗視野観察方法が用いられている。
【０００３】
この暗視野観察方法は、顕微鏡のレボルバーや対物レンズ、コンデンサー等に固有の暗視野照明用装置を備えたものを用いて行なわれる。
【０００４】
この暗視野観察を行なうための装置の従来例として、下記文献に開示された装置が知られている。
【特許文献１】特開２００３−５０８２号公報    この従来例は、顕微鏡の落射暗視野照明装置で、光源からの光線を光ファイバー（ライトガイド）にて対物レンズの近傍まで導き、この光線をレボルバーおよび対物レンズに備えられた暗視野装置に入射させ、暗視野観察を行なうようにしたものである。
【発明の開示】
【発明が解決しようとする課題】
【０００５】
しかし、これら従来技術は、レボルバーや対物レンズやコンデンサー等にそれ固有の暗視野装置が備わっているため、装置が大型になり、また高価である。    本発明は、簡単な構成で安価な顕微鏡の暗視野照明装置を提供するものである。
【課題を解決するための手段】
【０００６】
本発明の顕微鏡用ステージ中座は、顕微鏡のステージに着脱可能なドーナツ形状であって、この中座の裏面（内側の面）の対物レンズの光軸から離間する位置に標本を照明する発光部を有することを特徴とする。
【０００７】
即ち、本発明の中座は、例えば金属顕微鏡におけるステージがその中央にリング状にくり貫かれた部分を有し、このくり貫かれたリング状部分に気密に嵌合されるドーナツ形状であって、その裏面（内側の面）に光源部を設けたものである。
【０００８】
そして、その第１の構成として、中座の裏面（内側の面）に等間隔に多数の光源部を設けることにより、標本部分を均一に照明し、暗視野照明をなすようにした。
【０００９】
また、他の構成では、中座に対物レンズの光軸の近傍を除いて伝達部材を設けることにより、中座の裏面（内側の面）に等間隔に配置された多数の光源部を設け、ステージと中座の伝達部材との間に、これら光源部よりの照明光の光路を形成することにより、光源部よりの光を標本面に均一に照射して暗視野照明を行なうことを可能にしたものである。
【００１０】
これにより、比較的少ない光源部により十分な光量で均一な暗視野照明が可能になる。
【００１１】
また、中座の裏面（内側の面）に光源部を設け、この光源部の前に反射板を設けた構成で、光源よりの照明光を反射部材で反射させた後、中座の裏面（内側面）等にて反射させて標本面を照明するようにしたもので、一つの光源部よりの光で標本面を十分な光量にて均一に照明し、これにより暗視野照明を行なうようにしたものである。
【００１２】
更に、本発明の顕微鏡用照明装置は、顕微鏡ステージの中央部にリング状のくり貫き部を形成し、このくり貫き部の側面に光源部を設けて照明装置としたものである。
【００１３】
これにより、顕微鏡のステージ自体に暗視野照明を可能とする照明装置を形成し、このステージ自体が前述の本発明の中座と同様の照明装置を構成することになり、均一な暗視野照明が可能になる。したがって、倒立型金属顕微鏡等による暗視野での標本の観察が可能になる。
【発明の効果】
【００１４】
本発明の中座は、簡単な構成で顕微鏡のステージに着脱可能で、標本の均一な照明が可能である。また、本発明の顕微鏡は、ステージに構成された照明系により、比較的小型で暗視野にての観察が可能である。
【発明を実施するための最良の形態】
【００１５】
本発明の実施の形態を各実施例にもとづいて説明する．
【実施例１】
【００１６】
図１、２は、本発明の顕微鏡用暗視野照明装置の実施例１を示す図で、図１は、対物レンズ付近を拡大して示した側面図（断面図）、図２は底面図である。    図において、１は中央部がドーナツ状にくり貫かれたステージで、くり貫かれた部分が側面大径部２と小径部３を有している。４はドーナツ状をした中座で、この中座４はステージ１の大径部２にがたつくことがほとんどないように嵌合され当接部５に接触して設置され、また、ステージに着脱可能である。また、中座４の裏面周辺には、ＬＥＤ光源６が固定もしくは内蔵されている。このＬＥＤ光源６は、対物レンズのレボルバーの回転時に接触を防ぐために、対物レンズ７からある程度の距離を置いて配置されている。このようにＬＥＤ光源６が対物レンズ７からある程度の距離をおいて配置されているため、ＬＥＤ光源を配置する面積が広く、多数のＬＥＤ光源を配置することが可能である。
【００１７】
また、ＬＥＤ光源６は、対物レンズ７の観察標本面８上を均一に照射するために、図２に示すように中座４の裏面に１２個リング状に等間隔で配置されている。
【００１８】
このように、その裏面周辺に１２個リング状に等間隔でＬＥＤ光源６が配置された中座４は、中央部がドーナツ状にくり貫かれたステージ１の当接部５に設置される。
【００１９】
このような構成の本発明の暗視野装置は、ＬＥＤ光源６からの照明光がある程度の広がりをもって観察標本面８方向に出射する。この出射した照明光は、観察面８上を均一に照明する。つまり、このＬＥＤ光源６は、中座１０の裏面に等間隔にてリング状に配置されているため、観察標本面８上を均一に照明する。
【００２０】
この観察標本面８上に照射される光は、対物レンズ７の外側から照射される光であるため、標本面で反射された０次光は対物レンズ７には入射せず、また入射したとしても対物レンズ内部にてけられるために、いわゆる暗視野照明の状態になる。そのため、観察面１０上の傷やごみなどにより回折や散乱された光が対物レンズ７に入射し、暗視野像を形成する。
【００２１】
この実施例１は、暗視野装置をもたない安価な金属顕微鏡にＬＥＤ光源をリング状に等間隔に固定もしくは内蔵した中座を、ステージの中央に載せるだけの簡単でかつ安価に暗視野観察が可能になる。
【００２２】
また、ＬＥＤ光源の位置が対物レンズの光軸から離間しているため、高倍の対物レンズの作動距離を確保することができる。
【００２３】
また、光源部と対物レンズ７との間のスペースがある程度確保されているため、ＬＥＤ光源の断面積が広く、ＬＥＤ光源を多数配置することが可能であり、明るい暗視野照明が可能になる。
【００２４】
更に、この実施例の装置は、光源をリング状に等間隔にて配置してあるため、均一な照明が可能である。
【００２５】
尚、光源の数は１２個に限ることなく、３６０°を等分した数で、等間隔に配置すればよい。
【００２６】
図３、図４は、本発明の実施例１の暗視野落射照明装置の変形例を示す図である。ここで図３は側面図（断面図）、図４は底面図である。
【００２７】
この変形例は、中座裏面にＬＥＤ光源を内蔵もしくは固定する代りに、光ファイバーを用いたもので光ファイバー１１の出射端１３を図示するように対物レンズ７の光軸から離間させてリング状に等間隔に配置した構成である点で、図１、２と相違する。
【００２８】
この図３、４の照明装置は、顕微鏡のステージ１の中央部がドーナツ形状にくり貫かれており、このくり貫かれた側面が大径部２と小径部３とを有している。
【００２９】
また、中座４はドーナツ形状をしており、ステージ１の大径部２にほとんどがたがないように嵌合され、当接部５に接触し設置されており、この中座４はステージ１に対し着脱可能である。
【００３０】
以上の構成は、図１、図２と実質上同じである。
【００３１】
しかし、この図３、図４の装置は、ハロゲンランプ等よりなる照明光源２０と、この照明光源２０に入射端２２が接続されている光ファイバー束２１を有し、この光ファイバー束２１の出射側をそれを構成する各光ファイバー２３に分解しその先端が中座４の裏面周辺にリング状に等間隔に配置されている。
【００３２】
つまり、図３、４の装置は、多数のＬＥＤ光源を用いる代わりに、一つのハロゲンランプ等の光源と光ファイバーを用いた点で、図１、２の装置と相違する。
【００３３】
この図３、４に示す装置は、前記のような構成であって、裏面周辺にリング状に等間隔で各光ファイバーの出射端が配置された中座を、中央部がドーナツ状にくり貫かれたステージ１の当接部５に設置する。一方光ファイバー束２１の入射端２２を照明光源２０に取り付けて使用する。
【００３４】
そして、照明光源２０よりの光を光ファイバー束２１の入射端面に入射させ、各光ファイバーにより伝達した光を出射端面よりある程度の広がりをもって出射させることにより、観察標本面を均一に照明する。
【００３５】
この図３、４の装置は、暗視野照明装置を備えていない安価な倒立金属顕微鏡に、前述のような光ファイバー束の各光ファイバーの出射端をリング状に等間隔に固定もしくは内蔵した中座を顕微鏡のステージの中央部に載せ、光ファイバー束の入射端を照明光源に接続するだけで簡単でかつ安価に暗視野照明観察が可能になる。
【実施例２】
【００３６】
図５、６は、本発明の実施例２を示す図もので、図５は側面図（断面図）、図６は底面図である。
【００３７】
この実施例は、ステージ１の中央部がドーナツ形状にくり貫かれ、このくり貫かれた側面が大径部２と小径部３とよりなる。また、中座４は、ドーナツ状をなし、ステージ１の大径部２にほぼがたのないように嵌合され、当接部５に接触させて設置されている。また、中座４は、ステージ１に対し着脱可能である。更にＬＥＤ光源６は、中座４の裏面の周辺に固定もしくは内蔵されており、このＬＥＤ光源６は、対物レンズ７のレボルバーを回転させたときに接触しないように、対物レンズ７からある程度の距離を置いて配置してある。
【００３８】
これにより、配置面積を広くとれるため、多数のＬＥＤ光源６を配置することが可能である。このＬＥＤ光源６は、観察標本８上を均一に照射するために、中座４の裏面に４個リング状に等間隔に配置してある。
【００３９】
また、この実施例２の照明装置は、中座４の下端に伝達部材（反射部材）１１が密着性よくしかも着脱可能に配置されている。この伝達部材１１は表面（上面）が鏡面加工した反射面をなし、これにより、ＬＥＤ光源６よりの光の一部を観察表面８上に導くことにより、ＬＥＤ光源６よりの光を効率よく利用するようにしてある。
【００４０】
また、この伝達部材１１は、中座４に対し気密性良く保持されているため、光の漏れが少なく、観察標本面８上に効率よく光を照射し得る。
【００４１】
また、この伝達部材１１は、着脱可能であり、対物レンズの倍率に合わせて、観察標本面８上を効率よく均一に照射し得る形状のものと交換し得る。
【００４２】
図７、図８は、高倍率の対物レンズと組み合わせて使用する際に、特に効率よく観察し得るようにした実施例２の変形例である。尚図７は側面図、（断面図）、図８は底面図である。
【００４３】
この実施例は、図７、図８に示すように、伝達部材１２を設けた構成で、２の伝達部材には、図５、図６に示す伝達部材１１とは異なり、対物レンズの側が中座４との間隔が短くなるように構成されたものである。
【００４４】
これにより高倍率の対物レンズと組み合わせたときに、特に効率よく観察標本面８上を均一に照射することを可能にした。このような形状の伝達部材１２を用いることにより、対物レンズの光軸側が中座との間隔が小になり、作動距離の短い高倍率の対物レンズを使用した時でも、短い作動距離の隙間に効率よく光線を照射することが可能である。
【００４５】
上記の本発明の実施例２の照明装置は、伝達部材１１または１２を中座４に取り付けた状態で、上から簡単にステージ当接部５に設置することが可能なように伝達部材１１または１２の外径は、ステージの小径部３の内径より小になっている。
【００４６】
この実施例２は、中座４の裏面周辺に４個のＬＥＤ光源がリング状に等間隔に配置され、また中座４の裏面に伝達部材１１または１２が取り付けられ、中央部がドーナツ状にくり貫かれたステージの当接部５に設置される。
【００４７】
この実施例２は、リング状に配置された４個のＬＥＤ光源６のからの照明光が、ある程度の広がりをもって観察標本８の方向に出射する。
【００４８】
この出射した光は、伝達部材１１又は１２により観察標本面８上に効率よく導かれ、標本面８に照射する。
【００４９】
観察標本面８上の傷やゴミ等によって、散乱又は回折された対物レンズ７の外側から照射される光で、標本面で正反射された０次光は、対物レンズには入射せず、入射したとしても対物レンズ内部にてみられるため、いわゆる暗視野照明の状態になる。そして、観察標本面８上の物体により回折や散乱された光が対物レンズにより暗視野像を形成する。
【００５０】
実施例２は、光源部や伝達部材が対物系との間にスペースをある程度確保し得るので、レボルバー回転時に光源が邪魔になることがなく、操作性がよい。
【００５１】
また、暗視野照明装置を備えてない安価な倒立顕微鏡に、ＬＥＤ光源を内蔵した中座に伝達部材を取り付けたものを顕微鏡の
ステージに載せるだけで簡単に暗視野照明による観察が可能である。特に、実施例２は、伝達部材を顕微鏡対物系の倍率等に合わせて適切な伝達部材を選択することにより、明るく均一な照明を重視した暗視野観察が可能である。
【実施例３】
【００５２】
図９、図１０は、本発明の顕微鏡用照明装置の実施例３を示す図で、図９は側面図、図１０は底面図である。
【００５３】
この実施例３は、ＬＥＤ光源６を一つのみ配置した例である。
【００５４】
図９、図１０に示すように、中座４に一個のＬＥＤ光源６を配置し、また、実施例２（図５、図６）と類似の形状の伝達部材１１を取り付けたもので、この伝達部材１１のＬＥＤ光源６の前に光源側面が鏡面（反射面）１３ａの反射部材１３を設けた構成である。更に中座４の下面、側面等は鏡面加工等により反射面にしてある。
【００５５】
その他の構成は、実施例２と同様である。
【００５６】
この実施例３の照明装置は、一個のＬＥＤ光源６より発する光が伝達部材１１に設けられた反射部材１３の反射面１３ａにて反射された後に、中座４に設けられた伝達部材および中座４の内面（反射面）にて反射されて、観察標本面８上を均一に照射するものである。
【００５７】
この実施例３の装置は、一個のＬＥＤ光源６とこの光源に面して位置する反射部材が設けられた伝達部材とを備えた中座４を中央部がドーナツ状にくり貫かれたステージ１の当接部に設置して用いられる。
【００５８】
このように設置した上で、ＬＥＤ光源６からの照明光は、反射部材にて反射してその周囲に拡散する。この拡散した照明光は、密閉性のある中座４と伝達部材１１との間で反射を繰り返すことにより、観察標本面８上を均一に照射する。    この実施例３は、ＬＥＤ光源が一つのみで、しかも反射部材を設けた伝達部材を備えた簡単な構成の安価な装置で、均一な暗視野照明が可能である。
【００５９】
以上述べた本発明の実施例は、本発明の顕微鏡用ステージの中座に関するものである。
【００６０】
同様に、顕微鏡のステージの中央にくり貫き部分を形成し、その内側の面にＬＥＤ光源を設ける等により、簡単な構成の暗視野照明装置とすることが可能である。つまり、簡単な構成であって、暗視野照明が可能な顕微鏡を実現し得る。
【産業上の利用可能性】
【００６１】
本発明は、例えば金属顕微鏡等のステージに取り付けることにより簡単な暗視野での観察が可能である。しかも効果で大型な暗視野照明装置の代わりに安価で小型な構成で良好な暗視野による観察が可能である。
【図面の簡単な説明】
【００６２】
【図１】本発明の実施例１の側面図
【図２】本発明の実施例１の底面図
【図３】本発明の実施例１の変形例の側面図
【図４】本発明の実施例１の変形例の底面図
【図５】本発明の実施例２の側面図
【図６】本発明の実施例２の底面図
【図７】本発明の実施例２の変形例の側面図
【図８】本発明の実施例２の変形例の底面図
【図９】本発明の実施例３の側面図
【図１０】本発明の実施例３の底面図
【符号の説明】
【００６３】
１    ステージ、      ４    中座、      ６    ＬＥＤ光源
１１，１２      伝達部材、１３      反射部材
【図１】
2005234262.tif 000003
【図２】
2005234262.tif 000004
【図３】
2005234262.tif 000005
【図４】
2005234262.tif 000006
【図５】
2005234262.tif 000007
【図６】
2005234262.tif 000008
【図７】
2005234262.tif 000009
【図８】
2005234262.tif 000010
【図９】
2005234262.tif 000011
【図１０】
2005234262.tif 000012